(57)【特許請求の範囲】
【請求項１】
把持部と支持部とその支持部に装着される研磨部とよりなり、前記支持部の対向する一対の先端部間の間隔は弦楽器ネック部の弦の帳設領域の幅よりも大なる幅に拡開可能にされ、前記研磨部は前記支持部の対向する先端部間に掛け渡す態様で前記支持部の前記一対の先端部間に装着され、その研磨部は弦楽器ネック部のフレットが植設された指板の弧面に対応する弧面を有し、その弧面部分の前記把持部側側面と逆側の側面が研磨機能部とされることを特徴とする弦楽器ネック部フレット研磨具。
【請求項２】
前記研磨部は一端が前記支持部の前記一対の先端部の一方に対してヒンジ結合され、ヒンジ結合されない自由端が前記一対の先端部の他方に対して弾性的に結合可能にされてなる請求項１記載の弦楽器ネック部フレット研磨具。
【請求項３】
前記研磨部は両端部が前記一対の先端部に対して弾性的に結合可能にされる請求項１記載の弦楽器ネック部フレット研磨具。
【請求項４】
前記支持部が前記把持部に対し着脱可能にされてなる請求項１記載の弦楽器ネック部フレット研磨具。
【請求項５】
前記支持部が前記把持部と一体に成形されてなる請求項１記載の弦楽器ネック部フレット研磨具。
【請求項６】
前記支持部及び／又は前記研磨部がステンレス又はプラスティックを素材としてなる請求項１記載の弦楽器ネック部フレット研磨具。
【請求項７】
前記研磨機能部に研磨部材が装着可能にされてなる請求項１記載の弦楽器ネック部フレット研磨具。
【請求項８】
前記研磨機能部に研磨部材が一体形成されてなる請求項７記載の弦楽器ネック部フレット研磨具。
【請求項９】
請求項２に記載の弦楽器ネック部フレット研磨具を用い、弦楽器ネック部の弦の帳設領域の幅方向の一方から他方に向けて弦楽器ネック部に張設された全ての弦と前記指板間に前記研磨部を挿通し、挿通した前記自由端を前記支持部の対向する前記一対の先端部のうちの一方の先端部に結合し、前記研磨部と前記指板間に研磨部材を介装して前記把持部から前記指板に向けて押圧力を加えながら前記弦楽器ネック部の長手方向に前後動させることを特徴とする弦楽器ネック部フレット研磨方法。
【発明の詳細な説明】
【技術分野】
【０００１】
本発明は、弦楽器のネック部指板に植設されたフレットの最適化のための弦楽器ネック部フレット研磨具及び弦楽器ネック部フレット研磨方法に関する。
【背景技術】
【０００２】
マンドリン、ギター、ウクレレ、バンジョー、ベースギター等には何れもネックにフレットと通称される複数の突起が設けられる。図３（ａ）（ｂ）に示すように、このフレット１はネック２の指板３にはめ込まれた金属の帯である。このフレット１を持ついわゆるエレキギター４やアコースティックギター５等の楽器では、弦６を押さえると、弦の振動する長さは、押さえた指の位置に近接するフレット１とブリッジ７との間に制限される結果、音の高さが変わり、楽曲の演奏が可能となる。なお図３（ｃ）に示すようにヴァイオリン８はそのネック２にフレットは設けられず、したがって弦６の振動する長さは押さえた指の位置とブリッジ７との間に制限され、微妙な音の変化を表現できる反面、正確な音程の音を発することは困難となる。
【０００３】
フレットはこのように指で直接弦を押さえる位置によって弦の振動部分の長さを明確に区切る機能を有し、これによって比較的正しい音程を出しやすくなることで、より良い演奏をする上で重要である。特に和音の演奏に重要な機能をはたす。
【０００４】
ところで、このフレットの突出高さが過剰である場合には、フレットが植設された指板からの弦の高さが高くなり、音程を調節するために弦を押す際に極めて大きな力が必要となり、演奏が困難になる。弦楽器のフレットが植設された指板が正しい弧を描いていない場合にはビビリ音や音詰まりが発生して楽器本来の機能を充分に引き出すことはできない。
【０００５】
したがってフレットを有する弦楽器を用いて快適に、よりよい演奏をするためにはフレットのすり合わせが不可欠となる。このようなフレットのすり合わせは、フレットの突出表面が可能な限り平面となるように研磨することによって行われる。
【０００６】
従来、フレットのすり合わせは弦なしで行うのが一般であった。しかし、弦楽器は弦が張っていないと、楽器本来のバランスではなく、すり合わせの後から弦を再装着すると、弦の張力が原因でネックの形状が変化し、すり合わせで行った調整が完全には反映されない。したがってフレットのすり合わせを弦なしで行う従来の方法では楽器本来の能力を引き出す精度を実現することは極めて困難である。
【０００７】
この様な問題に着目し、特許文献１には弦楽器の弧を描いた状態になっているフレットの表面を研磨することのできる器具として本体底面の端に、傾斜のついた２つの小さな翼を持ち、スペースを作るための道具を水平方向に回転させることで、小さな翼が近くの弦の下に滑り込み、弦を持ち上げることができ、弦楽器の弦を外したり緩めた状態で、もしくは弦を装着した状態で最大限の的確さで作業可能である弦楽器のフレットに徐々にかかった弧を造形するための研磨用の器具が開示された。
【先行技術文献】
【特許文献】
【０００８】
【特許文献１】ＷＯ２０１２／０２３６２８
【発明の概要】
【発明が解決しようとする課題】
【０００９】
特許文献１の研磨用の器具ではそのＦｉｇ．１２〜１４に示されるように、ネックをその縦方向に分割した複数部分ごとにフレットの表面を研磨する必要があり、ネックの縦方向に対して垂直方向に伸びるフレット表面について段差のない状態で平滑化することは容易ではない。しかも、人手によって作業を行う場合に人が把持する部分に近接した領域には作業を行う人の力が相応に伝わるとしても、両端部分では人の力が研磨に必要な程度に伝わることはなく、実用性に疑問がある。
【００１０】
本発明は以上の従来技術における問題に鑑み、簡易に精度良くフレットのすり合わせを行うことができる弦楽器ネック部フレット研磨具及び弦楽器ネック部フレット研磨方法を提供することを目的とする。
【課題を解決するための手段】
【００１１】
本発明の弦楽器ネック部フレット研磨具は、把持部と支持部とその支持部に装着される研磨部とよりなり、前記支持部の対向する一対の先端部間の間隔は弦楽器ネック部の弦の帳設領域の幅よりも大なる幅に拡開可能にされ、前記研磨部は前記支持部の対向する先端部間に掛け渡す態様で前記支持部の前記一対の先端部間に装着され、その研磨部は弦楽器ネック部のフレットが植設された指板の弧面に対応する弧面を有し、その弧面部分の前記把持部側側面と逆側の側面が研磨機能部とされることを特徴とする。
【００１２】
前記研磨部は一端が前記支持部の前記一対の先端部の一方に対してヒンジ結合され、ヒンジ結合されない自由端が前記一対の先端部の他方に対して弾性的に結合可能にされるようにすることができる。また前記研磨部は両端部が前記一対の先端部に対して弾性的に結合可能にされてなるようにしてもよい。
【００１３】
前記支持部を前記把持部に対し着脱可能にすることができ、また前記支持部が前記把持部と一体に成形されてなるようにしてもよい。前記支持部及び／又は前記研磨部はステンレス又はプラスティック板を素材とすることができる。
【００１４】
前記研磨機能部は研磨部材を装着可能にしてもよく、前記研磨機能部に研磨部材が一体形成されてなるようにしても良い。
【００１５】
本発明の弦楽器ネック部フレット研磨方法は、弦楽器ネック部の弦の帳設領域の幅方向の一方から他方に向けて弦楽器ネック部に張設された全ての弦と前記指板間に前記研磨部を挿通し、挿通した前記自由端を前記支持部の対向する前記一対の先端部のうちの一方の先端部に結合し、前記研磨部と前記指板間に研磨部材を介装して前記把持部から前記指板に向けて押圧力を加えながら前記弦楽器ネック部の長手方向に前後動させることを特徴とする。
【発明の効果】
【００１６】
本発明の弦楽器ネック部フレット研磨具及び弦楽器ネック部フレット研磨方法によればフレットを備える弦楽器について簡易に精度良くフレットのすり合わせを行うことができる。
【図面の簡単な説明】
【００１７】
【図１】本発明の一実施の形態の弦楽器ネック部フレット研磨具の断面図
【図２】図１に示す弦楽器ネック部フレット研磨具の斜視図
【図３】（ａ）エレキギターの説明図、（ｂ）アコースティックギターの説明図、（ｃ）ヴァイオリンの説明図
【発明を実施するための形態】
【００１８】
以下、本発明の一実施の形態の弦楽器ネック部フレット研磨具９を図１、図２を使用して説明する。
本発明の弦楽器ネック部フレット研磨具９は、把持部１０と支持部１１とその支持部１１に装着される研磨部１２とよりなる。把持部１０は例えばプラスチック、木材等を用いて筐体状に成形され、軽量化が図られる。またフレット研磨作業を行う作業者が容易に把持できかつ小さな力で研磨部１２に大きな力を発生させることができる程度の大容量とされる。
【００１９】
支持部１１は、対向する一対の支持側面部１１ａ，ｂ及び支持側面部１１ａ，ｂを一体に連結する基部１１ｃを有する。その基部１１ｃが把持部１０に固定されて、その基部１１ｃを介して把持部１０に支持部１１が取りつけられることによって把持部１０と支持部１１は一体的に動作する。この支持部１１は例えばステンレス板を用いてなり、支持側面部１１ａ，ｂの対向する一対の先端部１３ａ，１３ｂ間の間隔は用いる素材の弾性限度内で、弦楽器ネック部２の弦６の帳設領域の幅よりも大なる幅に拡開可能にされる。
【００２０】
研磨部１２は支持側面部１１ａ，ｂの対向する先端部１３ａ，１３ｂ間に掛け渡すことができる例えばステンレスを用いた板状部材である。その板状部材である研磨部１２の幅は弦楽器ネック部２の弦６の帳設領域の幅よりも大なる幅とされる。この研磨部１２は弦楽器ネック部２のフレット１が植設された指板３の弧面に対応する弧面を有する。その弧面を有する研磨部１２には指板３と対向する一側面、すなわち凹状の弧面が形成された側面１２ａが研磨機能部１４とされる。この凹状の弧面１２ａは支持側面部１１ａ，ｂの対向する先端部１３ａ，１３ｂ間に研磨部１２を掛け渡して装着した状態で把持部１０側の凸状弧面１２ｂとは逆側の側面となる。
【００２１】
研磨部１２はその一側縁１２ｃが支持側面部１１ａ先端部１３ａに対してヒンジ結合される。一方、研磨部１２の他の側縁１２ｄは特にはヒンジなどにより拘束されない自由端縁とされる。ただしこの自由端縁である側縁１２ｄは支持側面部１１ｂの先端部１３ｂに対して弾性的に結合可能にされる。具体的には支持側面部１１ｂの先端部１３ｂはアール状に曲げ加工され、そのアール状曲げ加工部分に研磨部１２自由端縁である側縁１２ｄに形成される巻き加工部１２ｅが嵌合する態様で取りつけられる。
【００２２】
なお実施の態様によっては、研磨部１２はその両側縁１２ｃ、ｄが特にはヒンジなどにより拘束されない自由端縁とされ、自由端縁である側縁１２ｃ、ｄは支持側面部１１ａ、ｂの先端部１３ａ，ｂに対して弾性的に結合可能にされるようにすることができる。具体的には支持側面部１１ａ、ｂの各々の先端部１３ａ，ｂがアール状に曲げ加工され、そのアール状曲げ加工部分に研磨部１２の自由端縁である側縁１２ｃ、ｄに形成される巻き加工部が嵌合する態様で取りつけられるようにすることができる。
【００２３】
本実施の形態では支持部１１の基部１１ｃを把持部１０に対し粘着テープ（図示せず）によって着脱可能とする。なお実施の態様によっては、支持部１１を把持部１０と一体に成形した一部材とすることができる。その場合支持部１１は把持部１０と同一素材、すなわちプラスチック若しくは木材等を用いて仕上げられる。
【００２４】
研磨機能部１４には例えばサンドペーパ（図示せず）等の研磨部材が装着可能にされる。また実施の態様によっては、研磨機能部１４自体が研磨機能を有する表面性状を有するようにして、研磨機能部１４に研磨部材が一体形成されてなるようにしても良い。
【００２５】
以上の本発明の一実施の形態の弦楽器ネック部フレット研磨具９を用いて本発明の弦楽器ネック部フレット研磨方法は、以下のように実施される。
弦楽器ネック部２の弦６の帳設領域の幅方向の一方から他方に向けて弦楽器ネック部２に張設された全ての弦６と指板３間に研磨部１２を挿通する。その際、研磨部１２はその一側縁１２ｃが支持側面部１１ａ先端部１３ａに対してヒンジ結合され、一方、研磨部１２の他の側縁１２ｄは特にはヒンジなどにより拘束されない自由端縁とされていることから、その自由端縁である側縁１２ｄを弦楽器ネック部２に張設された全ての弦６と指板３間に挿通する。
【００２６】
次に挿通した自由端縁１２ｄを対向する一対の支持側面部１１ａ，ｂのうちの支持側面部１１ｂのアール状に曲げ加工されたアール状曲げ加工部分に嵌合する。その状態で研磨部１２と指板３間に研磨部材であるサンドペーパを介装して把持部１０から指板３に向けて押圧力を加えながら弦楽器ネック部２の長手方向に前後動させる。
【００２７】
その結果、指板３に植設された各フレット１が研磨されて、平滑化されて精度良くすり合わせされる。すなわち本実施の形態の弦楽器ネック部フレット研磨具９を用いて弦楽器ネック部２の研磨を行う場合には実際の演奏を行う状態と同様の状態で弦６を帳設したままで、研磨を行うことができ、弦６を張設しないで研磨を行い、研磨後に弦６を張設することによって弦楽器ネック部２の形状が変化する場合のような誤差が生じることはない。
【符号の説明】
【００２８】
２・・・ネック、６・・・弦、１・・・フレット、３・・・指板、１０・・・把持部、１２・・・研磨部、１１・・・支持部、１１ａ，ｂ・・・支持側面部、１１ｃ・・・基部。
【要約】      （修正有）【課題】簡易に精度良くフレットのすり合わせを行うことができる弦楽器ネック部フレット研磨具及び弦楽器ネック部フレット研磨方法を提供する。【解決手段】弦楽器ネック部の弦の帳設領域の幅方向の一方から他方に向けて弦楽器ネック部に張設された全ての弦と指板３間に研磨部１２を挿通する。その状態で研磨部１２と指板３間に研磨部材であるサンドペーパを介装して把持部１０から指板３に向けて押圧力を加えながら弦楽器ネック部の長手方向に前後動させる。その結果、指板３に植設された各フレット１が研磨されて、平滑化されて精度良くすり合わせされる。弦楽器ネック部フレット研磨具９を用いて弦楽器ネック部の研磨を行う場合には実際の演奏を行う状態と同様の状態で弦を帳設したままで、研磨を行うことができる。【選択図】図１【図１】
0005541645.tif 000002
【図２】
0005541645.tif 000003
【図３】
0005541645.tif 000004